(57)【要約】      （修正有）【課題】レーザーポインターにおいて、発光素子を動作させるためのスイッチ、及び発光素子の通電状態を通知するＬＥＤの角度位置を手動で調整することが可能なレーザーポインターを提供する。【解決手段】円筒形の筐体１０を用いたレーザーポインターは、発光素子１１と、発光素子を動作させるためのスイッチ１４、発光素子の通電状態を通知するためのＬＥＤ１３、発光素子の出力特性を安定化させるための光出力制御部１２、発光素子の通電状態を通知するためのＬＥＤの角度位置を適正な位置に合わせるために、発光素子部に位置調整可能な保持具１６，１７を有することを特徴とする。【選択図】図１
0003192891.tif 000002
【実用新案登録請求の範囲】
【請求項１】
円筒形の筐体を用いたレーザーポインターにおいて、発光素子を動作させるためのスイッチ、発光素子の通電状態を通知するためのＬＥＤの角度位置を適正な位置に合わせるために、発光素子部に位置調整可能な保持具を用いて、前記、発光素子を動作させるためのスイッチ、発光素子の通電状態を通知するためのＬＥＤの角度位置が適正な位置での調整が可能であることを特徴とするレーザーポインター。
【請求項２】
前記発光素子部からの導通を防ぐために、前記発光素子を動作させるためのスイッチ、発光素子の通電状態を通知するためのＬＥＤの角度位置を適正な位置に合わせるための位置調整可能な保持具は導電性の無いネジを使用することを特徴とするレーザーポインター。
【請求項３】
前記発光素子を動作させるためのスイッチ、発光素子の通電状態を通知するためのＬＥＤの角度位置を適正な位置に合わせるための位置調整可能な保持具１は、前記発光素子部の位置を決定して、前記発光素子部に位置調整可能な保持具２を追加することで、前記発光素子部を固定することを特徴としたレーザーポインター。
【考案の詳細な説明】
【技術分野】
【０００１】本考案は、レーザーポインターに関するものである。
【要約】
【０００２】本考案の目的は、従来の円筒形の筐体を用いたレーザーポインターにおいて、発光素子部に、位置調整可能な保持具を取り付けることで、前記発光素子を動作させるためのスイッチ、及び発光素子の通電状態を通知するＬＥＤの角度位置を手動で調整することが可能なレーザーポインターを提供する。
【課題】
【０００３】円筒形の筐体を用いた前記レーザーポインターの発光素子部は圧入を用いて円筒形の筐体に挿入しているが、圧入を用いると、発光素子の動作スイッチ、及び発光素子の通電状態を通知するＬＥＤの位置合わせにおける微調整をすることができないため、位置、角度の最適化が困難であるという課題があった。
【解決手段】
【０００４】課題を解決するための円筒形レーザーポインターは、発光素子部と、発光素子部を動作させるためのスイッチ部、発光素子の通電状態を通知するためのＬＥＤ部、発光素子の出力特性を安定化させるための光出力制御部を有している。
前記円筒形レーザーポインターに、発光素子を動作させるためのスイッチを取り付ける際には、前記発光素子部を動作させるためのスイッチ、及び発光素子の通電状態を通知するＬＥＤの角度位置を最適な位置に合わせる必要がある。
前記スイッチの角度位置を最適な位置に合わせるために、発光素子部に保持具を備え、適正な位置で固定することで、前記発光素子を動作させるためのスイッチ、及び発光素子の通電状態を通知するＬＥＤの角度位置を手動で調整することができ、角度位置の最適化が可能となる。
【請求の範囲】
【請求項１】
【０００５】円筒形の筐体を用いたレーザーポインターにおいて、発光素子を動作させるためのスイッチ、発光素子の通電状態を通知するためのＬＥＤの角度位置を適正な位置に合わせるために、発光素子部に位置調整可能な保持具を用いて、前記、発光素子を動作させるためのスイッチ、発光素子の通電状態を通知するためのＬＥＤの角度位置が適正な位置での調整が可能であることを特徴とするレーザーポインター。
【請求項２】
【０００６】前記発光素子部からの導通を防ぐために、前記発光素子を動作させるためのスイッチ、発光素子の通電状態を通知するためのＬＥＤの角度位置を適正な位置に合わせるための位置調整可能な保持具は導電性の無いネジを使用することを特徴とするレーザーポインター。
【請求項３】
【０００７】前記発光素子を動作させるためのスイッチ、発光素子の通電状態を通知するためのＬＥＤの角度位置を適正な位置に合わせるための位置調整可能な保持具１は、前記発光素子部の位置を決定して、前記発光素子部に位置調整可能な保持具２を追加することで、前記発光素子部を固定することを特徴としたレーザーポインター。
【考案の詳細な説明】
【背景技術】
【０００８】レーザーポインターにおいて、円筒形の筐体を用いた前記レーザーポインターの発光素子部は圧入を用いて円筒形の筐体に挿入しているが、圧入を用いると、発光素子の動作スイッチ、及び発光素子の通電状態を通知するＬＥＤの位置合わせにおける微調整をすることができないため、位置、角度の最適化が困難であるという課題があった。
【考案が解決しようとする課題】
【０００９】本考案の目的は、円筒形の筐体を用いたレーザーポインターにおいて、圧入を用いることなく、発光素子を動作させるためのスイッチ、及び発光素子の通電状態を通知するＬＥＤの角度位置を適正な位置に合わせることができるレーザーポインターを提供することにある。
【課題を解決するための手段】
【００１０】前記目的を達成するために、本考案に係る円筒形の筐体を用いたレーザーポインターは、発光素子と、発光素子を動作させるためのスイッチ、発光素子の通電状態を通知するためのＬＥＤ、発光素子の出力特性を安定化させるための光出力制御部、発光素子の通電状態を通知するためのＬＥＤの角度位置を適正な位置に合わせるために、発光素子部に位置調整可能な保持具を有することを特徴としている。
【考案の効果】
【００１１】本考案は、円筒形の筐体を用いたレーザーポインターにおいて、発光素子を動作させるためのスイッチ、発光素子の通電状態を通知するためのＬＥＤの角度位置を手動で調整することを可能とするものである。
【考案を実施するための最良の形態】
【００１２】以下、本考案を実施するための最良の形態について、図面を参照して詳細に説明する。
【実施例】
【００１３】図１は本考案の実施例を示している概略図である。
１０はレーザーポインターの筐体、１１は発光素子部、１２は前記発光素子の出力特性を安定化させるための光出力制御部。１３は発光素子の通電状態を通知するためのＬＥＤ部、１４は発光素子を動作させるためのスイッチ部、１５は電源供給部、１６は発光素子部を固定する位置調整可能な保持具１、１７は発光素子部を固定する位置調整可能な保持具２である。
発光素子部１１は赤色レーザーダイオード、緑色レーザーダイオードなどが用いられる。組立の際は、発光素子部１１、及び光出力安定下部１２をレーザーポインターの筐体１０に挿入して、前記発光素子の通電状態を通知するためのＬＥＤ部１３、前記発光素子を動作させるためのスイッチ部１４を、レーザーポインターの筐体１０に挿入して、前記発光素子部１１、及び光出力安定下部１２と取り付け位置を合わせ、発光素子部を固定する位置調整可能な保持具１を挿入し、前記レーザーポインターの筐体１０との位置合わせを行い、発光素子部を固定する位置調整可能な保持具２を挿入して、前記発光素子部を固定する位置調整可能な保持具１を押さえる構成となる。
前記発光素子部を固定する位置調整可能な保持具１、位置調整可能な保持具２を調整することで、発光素子の通電状態を通知するためのＬＥＤ部１３、及びは発光素子を動作させるためのスイッチ部１４と、前記発光素子部１１、及び光出力安定下部１２との角度位置を手動で調整することが可能となる。
【産業上の利用可能性】
【００１４】本考案は、円筒形のレーザーポインターにおける組立において、圧入を用いる必要がなく、発光素子部に位置調整可能な保持具を備えることで、発光素子の通電状態を通知するためのＬＥＤ部、及び発光素子を動作させるためのスイッチ部の角度位置調整を手動で行えることが可能となり、組立時の調整が容易になる。
【図面の簡単な説明】
【００１５】
【図１】は、本考案の第１の実施例に係る構成を示す概略図である。
【符号の説明】
【００１６】１０：レーザーポインター筐体
１１：発光素子部
１２：光出力制御部
１３：ＬＥＤ部
１４：スイッチ部
１５：電源供給部
１６：位置調整可能な保持具１
１７：位置調整可能な保持具２
【図１】
0003192891.tif 000003
【手続補正書】
【提出日】平成25年9月25日(2013.9.25)
【手続補正１】
【補正対象書類名】実用新案登録請求の範囲
【補正対象項目名】請求項２
【補正方法】変更
【補正の内容】
【請求項２】
請求項１記載の発光素子部からの導通を防ぐために、前記発光素子を動作させるためのスイッチ、発光素子の通電状態を通知するためのＬＥＤの角度位置を適正な位置に合わせるための位置調整可能な保持具は導電性の無いネジを使用することを特徴とする請求項１記載のレーザーポインター。
【手続補正２】
【補正対象書類名】実用新案登録請求の範囲
【補正対象項目名】請求項３
【補正方法】変更
【補正の内容】
【請求項３】
請求項１記載の発光素子を動作させるためのスイッチ、発光素子の通電状態を通知するためのＬＥＤの角度位置を適正な位置に合わせるための位置調整可能な保持具１（１６）は、前記発光素子部の位置を決定して、前記発光素子部に位置調整可能な保持具２（１７）を追加することで、前記発光素子部を固定することを特徴とした請求項１記載のレーザーポインター。